(57)【要約】【課題】  ロープに対して着脱可能に固定できる螺旋形吊具を提供する。【解決手段】  ロープ１に脱着可能に係合する螺旋形吊具１０において、ロープ１の外径ｄより大きなピッチＰ1を持つ螺旋状をした第一、第二コイル部１１，１２と、これらの第一、第二コイル部１１，１２の間でロープ１の外径ｄより小さなピッチＰ2を持つ螺旋状をした第三コイル部１３とを備える。【選択図】    図１
2005114054.tif 000002
【特許請求の範囲】
【請求項１】
ロープに脱着可能に係合する螺旋形吊具において、
ロープの外径より大きなピッチを持つ螺旋状をした第一、第二コイル部と、これらの第一、第二コイル部の間でロープの外径より小さなピッチを持つ螺旋状をした第三コイル部とを備えたことを特徴とする螺旋形吊具。
【請求項２】
第三コイル部の巻き径を第一、第二コイル部の巻き径より小さく形成したことを特徴とする請求項１に記載の螺旋形吊具。
【発明の詳細な説明】
【技術分野】
【０００１】
本発明は、例えば延縄漁法等における親網と枝網を結合する金具、魚網と案内網を結合する金具、安全索に標識や照明器具を結合する金具、家庭用物干しの吊具等に用いられ、ロープに脱着可能に係合する螺旋形吊具の改良に関するものである。
【背景技術】
【０００２】
従来、この種の螺旋形吊具として、図４に示すものがある（特許文献１参照）。
【０００３】
これについて説明すると、ロープ１の先端部に螺旋形引掛具５が連結され、ロープ１と螺旋形引掛具５を係合させて例えば小枝７等を縛るようになっている。
【０００４】
この螺旋形引掛具５は、線材を螺旋状に巻回して形成され、ロープ１の途中を螺旋形引掛具５の線材間６を通してその内側に挿通させられるようになっている。また、ロープ１の途中を螺旋形引掛具５の線材間６を通して外すことができる。
【特許文献１】実開昭６３−１２６６３９号公報
【発明の開示】
【発明が解決しようとする課題】
【０００５】
しかしながら、このような従来装置にあっては、図４に示すように、ロープ１と螺旋形引掛具５を係合させた状態で、ロープ１が螺旋形引掛具５を挿通して移動する構造のため、ロープ１に対して螺旋形引掛具５を固定することができない。このため、螺旋形引掛具５を例えば延縄漁法等における親網と枝網を結合する金具等に適用できないという問題点があった。
【０００６】
本発明は上記の問題点に鑑みてなされたものであり、ロープに対して着脱可能に固定できる螺旋形吊具を提供することを目的とする。
【課題を解決するための手段】
【０００７】
第１の発明は、ロープに脱着可能に係合する螺旋形吊具に適用する。
【０００８】
そして、ロープの外径より大きなピッチを持つ螺旋状をした第一、第二コイル部と、これらの第一、第二コイル部の間でロープの外径より小さなピッチを持つ螺旋状をした第三コイル部とを備えたことを特徴とするものとした。
【０００９】
第２の発明は、第三コイル部の巻き径を第一、第二コイル部の巻き径より小さく形成したことを特徴とするものとした。
【発明の効果】
【００１０】
第１の発明によると、第一、第二コイル部をロープの外径より大きなピッチを持つ螺旋状に形成することにより、ロープ１を第一、第二コイル部の線材間を通して挿通させられる。第三コイル部をロープの外径より小さいピッチを持つ螺旋状に形成することにより、ロープが第三コイル部の内側に入ることが避けられ、ロープは第三コイル部を迂回する撓み部が形成される。
【００１１】
こうしてロープに螺旋形吊具を係合させた組み付け状態において、ロープと螺旋形吊具の間に引っ張り力が働いた場合、ロープの撓み部が第三コイル部に強く当たって屈曲し、この撓み部と第三コイル部間に生じる大きな摩擦力によってロープ対して螺旋形吊具が移動することを止められる。これにより、ロープに対して着脱可能に固定できる螺旋形吊具を提供することができる。
【００１２】
第２の発明によると、第三コイル部を迂回するロープの撓み部の曲がりが小さくなるため、太いロープでも第三コイル部を迂回する撓み部を容易に形成することができる。
【実施例】
【００１３】
以下、本発明の実施の形態を添付図面に基づいて説明する。
【００１４】
図２に示すように、螺旋形吊具１０は、ロープ１に脱着可能に係合するものであり、ロープ１を結んだり、解いたりする必要なく、ロープ１に螺旋形吊具１０を容易に着脱することができるようになっている。
【００１５】
図１に示すように、螺旋形吊具１０は、ステンレス材等からなる線材を螺旋状に巻回して形成される。
【００１６】
螺旋形吊具１０は、ロープ１の外径ｄより大きなピッチＰ1を持つ螺旋状をした第一、第二コイル部１１，１２と、これらの第一、第二コイル部１１，１２の間でロープ１の外径ｄより小さなピッチＰ2を持つ螺旋状をした第三コイル部１３とを備える。
【００１７】
なお、第三コイル部１３の所定のピッチＰ2を持っているが、これに限らずピッチＰ2を零として、第三コイル部１３を構成する各線材どうしを当接させても良い。
【００１８】
第一、第二コイル部１１，１２及び、第三コイル部１３の巻き数はそれぞれ３回に設定されているが、これに限らずロープ１の太さ等に応じて増減しても良い。
【００１９】
第一、第二コイル部１１，１２のコイル内径Ｄはロープ１の外径ｄより大きく形成され、螺旋形吊具１０の内側をロープ１が挿通するようになっている。本実施の形態では、第一、第二コイル部１１，１２及び第三コイル部１３は全て同一のコイル内径Ｄで巻回されている。
【００２０】
第三コイル部１３の一端にはアイ１４が形成される。このアイ１４に開口した穴１５に図示しないフック等の部材が挿通して連結されるようになっている。
【００２１】
螺旋形吊具１０は以上のように構成されて、第一、第二コイル部１１，１２をロープ１の外径ｄより大きなピッチＰ1を持つ螺旋状に形成することにより、ロープ１を第一、第二コイル部１１，１２の線材間を通して挿通させられる。図２は、ロープ１に螺旋形吊具１０の第二コイル部１２を係合させる様子を示しており、図中矢印で示すようにロープ１を撓ませながら第二コイル部１２の線材間に入れることにより、ロープ１を第二コイル部１２に挿通させられる。ロープ１を第一、第二コイル部１１，１２から外す場合も、逆にロープ１を線材間を通して外すことができる。こうして、ロープ１を結んだり、解いたりする必要なく、ロープ１に螺旋形吊具１０を容易に着脱することができる。
【００２２】
第三コイル部１３をロープ１の外径ｄより小さいピッチＰ2を持つ螺旋状に形成することにより、ロープ１が第三コイル部１３の内側に入ることが避けられ、ロープ１は第三コイル部１３を迂回する撓み部１ａが形成される。
【００２３】
こうしてロープ１に螺旋形吊具１０を係合させた組み付け状態において、ロープ１と螺旋形吊具１０の間に引っ張り力が働いた場合、ロープ１の撓み部１ａが第三コイル部１３に強く当たって屈曲し、この撓み部１ａと第三コイル部１３間に生じる大きな摩擦力によってロープ１対して螺旋形吊具１０が移動することを止められる。
【００２４】
次に他の実施の形態を説明する。なお、前記実施の形態と同一構成部には同一符号を付す。
【００２５】
螺旋形吊具１０は第三コイル部１３の巻き径を第一、第二コイル部１１，１２の巻き径より小さく形成している。
【００２６】
この場合、第三コイル部１３を迂回するロープ１の撓み部１ａの曲がりが小さくなるため、太いロープ１でも第三コイル部１３を迂回する撓み部１ａを容易に形成することができる。
【００２７】
なお、この実施の形態では、ロープ１の太さについては言及していないが、本発明は、釣り糸などのように細いものから、積み荷の牽引ロープのように太いものまで適用できる。
【００２８】
本発明は上記の実施の形態に限定されずに、その技術的な思想の範囲内において種々の変更がなしうることは明白である。
【産業上の利用可能性】
【００２９】
例えば延縄漁法等における親網と枝網を結合する金具、魚網と案内網を結合する金具、安全索に標識や照明器具を結合する金具、家庭用物干しの吊具、その他の用途に用いられる螺旋形吊具に適用できる。
【図面の簡単な説明】
【００３０】
【図１】本発明の実施の形態を示し、（ａ）は旋形吊具螺旋吊具の側面図、（ｂ）は正面図。
【図２】同じく旋形吊具にロープを挿通させる様子を示す側面図。
【図３】他の実施の形態を示す螺旋吊具の側面図。
【図４】従来例を示す斜視図。
【符号の説明】
【００３１】
１  ロープ
１０  螺旋吊具
１１  第一コイル部
１２  第二コイル部
１３  第三コイル部
【図１】
2005114054.tif 000003
【図２】
2005114054.tif 000004
【図３】
2005114054.tif 000005
【図４】
2005114054.tif 000006